(57)【要約】      （修正有）【課題】立体的な想像力を育成することが可能な磁力吸着体、及び磁力吸着玩具を提供する。【解決手段】立方体型ブロック１２は、複数の面１２Ａを有する立体構造物と、球形磁石２２と、複数の面１２Ａの内の３面から形成される角部に少なくとも設けられ球形磁石２２を回転自在に収容する収容室２４とを有する。【選択図】図１
2019024759.tif 000002
【特許請求の範囲】
【請求項１】
複数の面を有する立体構造物と、
球形の磁石と、
前記複数の面の内の３面から形成される角部に少なくとも設けられ前記磁石を回転自在に収容する収容室と、
を有する磁力吸着体。
【請求項２】
前記面の１辺における一方側の前記角部と他方側の前記角部の各々には、前記磁石を収容した前記収容室が設けられている、請求項１に記載の磁力吸着体。
【請求項３】
予め設定された特定の間隔で前記磁石が配置されている、請求項１または請求項２に記載の磁力吸着体。
【請求項４】
請求項１〜３の何れか１項に記載の前記磁力吸着体を複数備えた、磁力吸着玩具。
【発明の詳細な説明】
【技術分野】
【０００１】
本発明は、磁力吸着体、及び磁力吸着玩具に関する。
【背景技術】
【０００２】
特開２０１６−２１４５３３号公報には、複数の環状体からなる組立玩具が開示されている。環状体には、正八角柱状の磁石が回転可能に収容されており、一方の環状体と他方の環状体とが離間しないように磁石の磁気吸引力で連結するようになっている。
【先行技術文献】
【特許文献】
【０００３】
【特許文献１】特開２０１６−２１４５３３号公報
【発明の概要】
【発明が解決しようとする課題】
【０００４】
しかしながら、この組立玩具を構成する環状体は、中を空間とした平板枠状の辺の中央に磁石を位置させたので、積み木のような立体構造物を組み立てるものとは異なり、立体的な想像力を育成することが難しい。
【０００５】
本発明は上記事実を考慮し、立体的な想像力を育成することが可能な磁力吸着体、及び磁力吸着玩具の提供を目的とする。
【課題を解決するための手段】
【０００６】
請求項１に記載の磁力吸着体は、複数の面を有する立体構造物と、球形の磁石と、前記複数の面の内の３面から形成される角部に少なくとも設けられ前記磁石を回転自在に収容する収容室と、を有する。
【０００７】
請求項１に記載の磁力吸着体は、立体構造を有しており、球形の磁石を回転自在に収容した収容室が、少なくとも角部に設けられている。
【０００８】
このため、磁力吸着体が一対ある場合、磁石を収容した収容室が設けられた一方の磁力吸着体の角部と、磁石を収容した収容室が設けられた他方の磁力吸着体の角部とが接近するように一方の磁石吸着体の３面のうちの何れかの面と他方の磁力吸着体の３面のうちの何れかの面とを対向させると、一方の磁力吸着体の磁石と他方の磁力吸着体の磁石とで生成される磁気吸引力によって一方の磁力吸着体の面と他方の磁力吸着体の面とを連結することができる。
【０００９】
磁石は、球形に形成され、収容室の内部で回転自在に収容されているため、各磁力吸着体の磁石の磁極の向きがバラバラであっても、一方の磁力吸着体の磁石と他方の磁力吸着体の磁石とを接近させると、一方の磁石のＮ極（またはＳ極）と他方の磁石のＳ極（またはＮ極）とが互いに対向するように各々の磁石が回転し、一方の磁石と他方の磁石とは反発すること無く、必ず吸引し合うようになる。
【００１０】
また、磁石は球形に形成されており、収容室の内壁面に対して点接触となるため、線接触や面接触の場合に比較して、収容室の内壁面に接触して回転する際の抵抗が少なく、収容室の内部でスムーズに磁石を回転させることができる。
【００１１】
請求項２に記載の発明は、請求項１に記載の磁力吸着体において、前記面の１辺における一方側の前記角部と他方側の前記角部の各々には、前記磁石を収容した前記収容室が設けられている。
【００１２】
磁力吸着体の面の１辺における一方側の角部と他方側の角部の各々に磁石を収容した収容室を設けることで、この磁力吸着体が一対ある場合、一方の磁力吸着体の面の１辺側と他方の磁力吸着体の面の１辺側とを、１辺の両側の角部に位置する磁石が生ずる磁気吸引力によって連結することができる。即ち、一対の磁力吸着体を、２箇所で生ずる磁気吸引力を用いて連結することができ、１箇所で生ずる磁気吸引力を用いて連結する場合に比較して連結強度を高めることができる。
【００１３】
また、磁力吸着体の面の一方側の角部と他方側の角部の各々に磁石を収容した収容室を設けることで、一方の磁力吸着体の１辺と、他方の磁力吸着体の１辺とを互いに平行に連結することができる。
【００１４】
請求項３に記載の発明は、請求項１または請求項２に記載の磁力吸着体において、予め設定された特定の間隔で前記磁石が配置されている。
【００１５】
磁力吸着体には、予め設定された特定の間隔で磁石が配置されているので、磁力吸着体に設けられた複数の磁石の内の何れかを選択して、特定の間隔で磁石が配置された一方の磁力吸着体に対して他の磁力吸着体の連結位置を変えることが可能となる。
【００１６】
請求項４に記載の磁力吸着玩具は、請求項１〜３の何れか１項に記載の前記磁力吸着体を複数備えている。
【００１７】
磁力吸着玩具は、請求項１〜３の何れか１項に記載の磁力吸着体を複数備えているため、複数の磁力吸着体を互いに連結して、形状の異なる種々の立体構造を自由に構成することができる。
【発明の効果】
【００１８】
以上説明したように本発明の磁力吸着体、及び磁力吸着玩具によれば、積み木のように組立ができ、立体的な想像力を育成することができる、という優れた効果を有する。
【図面の簡単な説明】
【００１９】
【図１】（Ａ）は立方体型ブロックを示す斜視図であり、（Ｂ）は立方体型ブロックの角部を示す一部断面図である。
【図２】直方体型ブロックを示す斜視図である。
【図３】三角柱型ブロックを示す斜視図である。
【図４】（Ａ）は六角柱型ブロックを示す斜視図であり、（Ｂ）は六角柱型ブロックを示す平面図であり、（Ｃ）は六角柱型ブロックを示す正面図である。
【図５】（Ａ）はピラミッド型ブロックを示す斜視図であり、（Ｂ）はピラミッド型ブロックを示す平面図であり、（Ｃ）はピラミッド型ブロックを示す正面図である。
【図６】（Ａ）は連結前の立方体型ブロックと三角柱型ブロックの球形磁石の磁極の向きを示す模式図であり、（Ｂ）は連結後の立方体型ブロックと三角柱型ブロックの球形磁石の磁極の向きを示す模式図である。
【図７】複数のブロックで構成した磁力吸着玩具を示す斜視図である。
【図８】一つの角部同士を用いて連結した一対の立方体型ブロックを示す斜視図である。
【発明を実施するための形態】
【００２０】
図１〜図７を用いて、本発明の一実施形態に係る磁力吸着玩具１０について説明する。
本実施形態の磁力吸着玩具１０は、一例として、立方体型ブロック１２、直方体型ブロック１４、三角柱型ブロック１６、六角柱型ブロック１８、及びピラミッド型ブロック２０の５種類の形状の異なるブロック状の立体構造物を含んで構成されている。
【００２１】
［立法体型ブロック］
図１に示すように、立方体型ブロック１２は、各辺の長さがＬとされた正方形の正方形面１２Ａを６面備えた立方体（正六面体）であり、互いに直交する３つの正方形面１２Ａで形成される各々の角部には、球形磁石２２を収容する中空の収容室２４が形成されている。球形磁石２２は、収容室２４の内部で回転自在に収容されている。この球形磁石２２は、径方向の一方側がＳ極、他方側がＮ極となるように着磁されている。この立方体型ブロック１２の正方形面１２Ａの各辺における一方側の球形磁石２２と他方側の球形磁石２２との間隔寸法は、全ての辺において一定である。
【００２２】
［直法体方ブロック］
図２に示すように、直方体型ブロック１４は、各辺の長さがＬとされた正方形の正方形面１４Ａと、一方の片の長さがＬ、一方の辺と直交する他方の辺の長さが２Ｌとされた長方形面１４Ｂとを備えた直方体である。直方体型ブロック１４は、各々の角部、及び長さが２Ｌとされた辺の中央部に立方体型ブロック１２と同様に収容室２４が形成されており、収容室２４の内部に球形磁石２２が回転自在に収容されている。この直方体型ブロック１４の正方形面１４Ａの各辺における一方側の球形磁石２２と他方側の球形磁石２２との間隔寸法は、全ての辺において一定である。なお、直方体型ブロック１４の長方形面１４Ｂの長さが２Ｌの辺における球形磁石２２の間隔は、正方形面１４Ａの辺における球形磁石２２の間隔よりも若干長く設定されている。
【００２３】
［三角柱型ブロック］
図３に示すように、三角柱型ブロック１６は、各辺の長さがＬとされた正方形の正方形面１６Ａと、各辺の長さがＬとされた正三角形の正三角形面１６Ｂとを備えた三角柱（三角プリズム状）である。三角柱型ブロック１６の各々の角部には収容室２４が形成されており、収容室２４の内部に球形磁石２２が回転自在に収容されている。この三角柱型ブロック１６の正方形面１６Ａの各辺における一方側の球形磁石２２と他方側の球形磁石２２との間隔寸法は、全ての辺において一定である。
【００２４】
［六角柱型ブロック］
図４（Ａ）〜（Ｃ）に示すように、六角柱型ブロック１８は、各辺の長さがＬとされた正六角形の正六角形面１８Ａと、各辺の長さがＬとされた正方形の正方形面１８Ｂとを備えた六角柱である。六角柱型ブロック１８の各々の角部には収容室２４が形成されており、収容室２４の内部に球形磁石２２が回転自在に収容されている。この六角柱型ブロック１８の正方形面１８Ｂの各辺における一方側の球形磁石２２と他方側の球形磁石２２との間隔寸法は、全ての辺において一定である。
【００２５】
［ピラミッド型ブロック］
図５に示すように、ピラミッド型ブロック２０は、各辺の長さがＬとされた正方形の正方形面２０Ａと、４つの二等辺三角形の二等辺三角形面２０Ｂとを備えたピラミッド形状である。なお、二等辺三角形面２０Ｂの正方形面２０Ａと接する辺以外の二つの辺は、正方形面２０Ａと接する辺よりも長さが長く設定されている。これは、正方形面２０Ａと接する辺以外の二つの辺の両側に位置する球形磁石２２と球形磁石２２との間隔を、正方形面２０Ａの一辺の両側に位置する球形磁石２２と球形磁石２２との間隔に合わせいるためであり、このように球形磁石２２と球形磁石２２との間隔を合わせると、二等辺三角形の頂点が球形磁石２２の間隔の外側に位置してしまうためである。ピラミッド型ブロック２０の各々の角部には収容室２４が形成されており、収容室２４の内部に球形磁石２２が回転自在に収容されている。このピラミッド型ブロック２０の正方形面２０Ａの各辺における一方側の球形磁石２２と他方側の球形磁石２２との間隔寸法は、全ての辺において一定である。
【００２６】
これら立方体型ブロック１２、直方体型ブロック１４、三角柱型ブロック１６、六角柱型ブロック１８、及びピラミッド型ブロック２０は、非磁性体、一例として合成樹脂等で形成されている。
【００２７】
なお、立方体型ブロック１２、直方体型ブロック１４、三角柱型ブロック１６、六角柱型ブロック１８、及びピラミッド型ブロック２０は、互いに直交するＸ，Ｙ，Ｚ方向の寸法（図面参照）を有しており、これらのブロックを立体構造物として見せるために、Ｘ，Ｙ，Ｚ方向の寸法の内の最大寸法に対する最小寸法の比率を０．３以上とすることが好ましく、０．４以上とすることが更に好ましい。
【００２８】
（作用、効果）
これらの立方体型ブロック１２、直方体型ブロック１４、三角柱型ブロック１６、六角柱型ブロック１８、及びピラミッド型ブロック２０には、球形磁石２２が収容されているので、一方のブロックの球形磁石２２と、他方のブロックの球形磁石２２を対向させて一方のブロックの何れかの面と他方のブロックの何れかの面とを接触させる、例えば、図６（Ａ）に示すように、立方体型ブロック１２の正方形面１２Ａと三角柱型ブロック１６の正方形面１６Ａとを対向させ、図６（Ｂ）に示すように、立方体型ブロック１２の正方形面１２Ａと三角柱型ブロック１６の正方形面１６Ａとを互いに接触させると、互いに近接した立方体型ブロック１２の球形磁石２２、及び三角柱型ブロック１６の球形磁石２２の何れか一方、または両方が、Ｎ極とＳ極とが対向するように回転し、一方の球形磁石２２と他方の球形磁石２２との間に吸引力が生じる。これにより、直方体型ブロック１４と三角柱型ブロック１６とを磁気吸引力によって互いに連結することができる。
【００２９】
即ち、球形磁石２２は、収容室２４の内部で回転自在に収容されているので、図６（Ａ）に示すように、直方体型ブロック１４の球形磁石２２のＳ極、またはＮ極と、三角柱型ブロック１６の球形磁石２２のＮ極、またはＳ極が互いに対向していなくても、直方体型ブロック１４の球形磁石２２と三角柱型ブロック１６の球形磁石２２とが接近すると、Ｓ極とＮ極とが対向するように各々の球形磁石２２が回転し、直方体型ブロック１４の球形磁石２２と三角柱型ブロック１６の球形磁石２２との間に磁気吸引力を発生させることができる。
【００３０】
以上の原理により、磁力吸着玩具１０を構成する立方体型ブロック１２、直方体型ブロック１４、三角柱型ブロック１６、六角柱型ブロック１８、及びピラミッド型ブロック２０は、一方のブロックの何れの面にも、他のブロックの何れの面を磁気吸引力で容易に連結（吸着）することができる。
【００３１】
したがって、立方体型ブロック１２、直方体型ブロック１４、三角柱型ブロック１６、六角柱型ブロック１８、及びピラミッド型ブロック２０は、例えば、図７に示すような、従来の積み木では不可能であった、動物を模した形状に連結することもできる。
【００３２】
図７に示す例では、一方のブロックの正方形面全体と、他方のブロックの正方形面全体とを対向させて連結しているが、本実施形態はこれに限らず、図８に示すように、一対の角部同士を用いて一方のブロックの正方形面の一部と他方のブロックの正方形面の一部とを対向させてブロック同士を連結することもできる。
【００３３】
このように、本実施形態の磁力吸着玩具１０は、立方体型ブロック１２、直方体型ブロック１４、三角柱型ブロック１６、六角柱型ブロック１８、及びピラミッド型ブロック２０を積み木のように組み立てることができ、また、図７、図８に示すような従来の積み木では不可能であった形状にも組み立てることができ、従来の積み木よりも立体的な想像力を育成することが可能となる。
【００３４】
なお、本実施形態において、一方側の球形磁石２２と他方側の球形磁石２２との間隔寸法が一定であると説明したが、球形磁石２２を収容室２４の内部で回転自在とするため、球形磁石２２と収容室２４の内壁面との間には隙間が設けられている。このため、一方側の球形磁石２２と他方側の球形磁石２２との間隔寸法には、少なくとも該隙間寸法の分のバラつきは含んでいる。
【００３５】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００３６】
上記実施形態では、磁力吸着玩具１０が形状の異なる５種類のブロックで構成されていたが、磁力吸着玩具１０を構成するブロックの形状は、上記以外の形状のものであってもよい。
【符号の説明】
【００３７】
１０    磁力吸着玩具
１２    立方体型ブロック（立体構造物）
１４    直方体型ブロック（立体構造物）
１６    三角柱型ブロック（立体構造物）
１８    六角柱型ブロック（立体構造物）
２０    ピラミッド型ブロック（立体構造物）
２２    球形磁石（磁石）
２４    収容室
【図１】
2019024759.tif 000003
【図２】
2019024759.tif 000004
【図３】
2019024759.tif 000005
【図４】
2019024759.tif 000006
【図５】
2019024759.tif 000007
【図６】
2019024759.tif 000008
【図７】
2019024759.tif 000009
【図８】
2019024759.tif 000010